(57)【要約】【課題】ユーザに対し、任意の対象物を観るのに適した場所を案内すること。【解決手段】実施形態に係るナビゲーション装置は、取得部と、経路設定部とを備える。取得部は、観賞対象となる任意の対象物が指定された場合に、かかる対象物の観賞に適した好適地に関する好適地情報を取得する。経路設定部は、取得部によって取得された好適地情報に含まれる好適地の候補それぞれの地点情報のうちのいずれかを目的地とした経路設定を行う。【選択図】図３Ａ
2017150946.tif 000002
【特許請求の範囲】
【請求項１】
観賞対象となる任意の対象物が指定された場合に、該対象物の観賞に適した好適地に関する好適地情報を取得する取得部と、
前記取得部によって取得された前記好適地情報に含まれる前記好適地の候補それぞれの地点情報のうちのいずれかを目的地とした経路設定を行う経路設定部と
を備えることを特徴とするナビゲーション装置。
【請求項２】
地図画像を表示する表示部と、
前記好適地情報に基づき、前記地点情報を前記地図画像とともに前記表示部へ表示させる表示制御部と
をさらに備え、
前記経路設定部は、
前記表示部へ表示された前記地点情報のうちの一つがユーザにより前記目的地として指定された場合に、当該地点情報を前記目的地とした経路設定を行うこと
を特徴とする請求項１に記載のナビゲーション装置。
【請求項３】
前記好適地情報は、
前記地点情報が示す位置それぞれから前記対象物を観た場合の景観画像を含み、
前記表示制御部は、
前記ユーザによる所定の操作に基づき、前記表示部へ前記景観画像を表示させること
を特徴とする請求項２に記載のナビゲーション装置。
【請求項４】
前記表示制御部は、
前記表示部へ表示された前記地点情報のいずれかが前記ユーザにより選択された場合に、当該地点情報に対応する前記景観画像を前記表示部へ表示させること
を特徴とする請求項３に記載のナビゲーション装置。
【請求項５】
前記表示制御部は、
前記ユーザにより前記対象物が指定された場合に、前記取得部によって取得された前記好適地情報に含まれる前記景観画像それぞれのサムネイルを前記地点情報とともに前記表示部へ表示させること
を特徴とする請求項３に記載のナビゲーション装置。
【請求項６】
前記表示制御部は、
前記ユーザにより前記対象物が指定された場合に、前記取得部によって取得された前記好適地情報に含まれる前記景観画像それぞれのサムネイルの一覧を前記表示部へ表示させるとともに、前記ユーザにより前記一覧から前記サムネイルのいずれかが選択された場合に、当該サムネイルに対応する前記地点情報を前記表示部へ表示させること
を特徴とする請求項３に記載のナビゲーション装置。
【請求項７】
前記好適地情報は、
一つの前記好適地につき、季節および時間に応じた前記景観画像を複数含み、
前記表示制御部は、
任意の前記季節および時間の前記景観画像を前記表示部へ表示させること
を特徴とする請求項３〜６のいずれか一つに記載のナビゲーション装置。
【請求項８】
前記表示制御部は、
自装置の現在位置に基づいて推定される到着予想時刻、または、前記ユーザにより指定される指定時刻に対応する前記季節および時間の前記景観画像を前記表示部へ表示させること
を特徴とする請求項７に記載のナビゲーション装置。
【請求項９】
前記好適地情報は、
一つの前記好適地につき、当該好適地の付近における前記景観画像を複数含み、
前記表示制御部は、
前記表示部へ表示された前記地点情報のいずれかが前記ユーザにより選択された場合に、当該地点情報に対応する前記好適地の付近の前記景観画像をスライドショー形式で前記表示部へ表示させること
を特徴とする請求項３〜８のいずれか一つに記載のナビゲーション装置。
【請求項１０】
前記景観画像は、
前記好適地から観た場合の全周パノラマ画像であり、
前記表示制御部は、
前記ユーザの操作により全周回転可能となるように前記景観画像を前記表示部へ表示させること
を特徴とする請求項３〜９のいずれか一つに記載のナビゲーション装置。
【請求項１１】
前記表示制御部は、
前記ユーザの操作により拡大可能および縮小可能となるように前記景観画像を前記表示部へ表示させること
を特徴とする請求項３〜１０のいずれか一つに記載のナビゲーション装置。
【請求項１２】
前記経路設定部は、
前記好適地情報に含まれる前記好適地の候補それぞれの前記地点情報のうちのいずれかを前記目的地とした推奨経路の経路探索を行い、
前記表示制御部は、
前記経路設定部によって経路探索された前記推奨経路を前記表示部へ表示させること
を特徴とする請求項３〜１１のいずれか一つに記載のナビゲーション装置。
【請求項１３】
前記表示制御部は、
前記推奨経路をシミュレーション走行した場合のシミュレーション画像を前記表示部へ表示させるとともに、前記推奨経路において対応する前記地点情報の前記景観画像を前記表示部へ表示させること
を特徴とする請求項１２に記載のナビゲーション装置。
【請求項１４】
前記経路設定部は、
前記表示部へ表示された前記地点情報が前記ユーザにより複数選択された場合に、選択された前記地点情報のうちの一つを前記目的地とし、残りの前記地点情報を経由地とした旅行経路の経路探索を行うこと
を特徴とする請求項３〜１３のいずれか一つに記載のナビゲーション装置。
【請求項１５】
前記地点情報は、
前記好適地の候補それぞれの付近において駐車に適した施設についてのものであって、
前記表示制御部は、
前記地点情報とともに前記施設に関する施設情報を前記表示部へ表示させること
を特徴とする請求項２〜１４のいずれか一つに記載のナビゲーション装置。
【請求項１６】
ナビゲーション装置と、前記ナビゲーション装置にネットワーク接続されるサーバ装置とでユーザに対するナビゲーションを行うナビゲーションシステムであって、
前記ナビゲーション装置は、
観賞対象となる任意の対象物が指定された場合に、該対象物の観賞に適した好適地に関する好適地情報を前記サーバ装置から取得する取得部と、
前記取得部によって取得された前記好適地情報に含まれる前記好適地の候補それぞれの地点情報のうちのいずれかを目的地とした経路設定を行う経路設定部と
を備え、
前記サーバ装置は、
前記好適地の候補それぞれについての情報を収集する収集部と、
前記対象物が指定された場合に、前記収集部により収集された前記情報に基づいて前記好適地情報を生成する生成部と
を備えることを特徴とするナビゲーションシステム。
【請求項１７】
観賞対象となる任意の対象物が指定された場合に、該対象物の観賞に適した好適地に関する好適地情報を取得する取得工程と、
前記取得工程において取得された前記好適地情報に含まれる前記好適地の候補それぞれの地点情報のうちのいずれかを目的地とした経路設定を行う経路設定工程と
を含むことを特徴とするナビゲーション方法。
【発明の詳細な説明】
【技術分野】
【０００１】
開示の実施形態は、ナビゲーション装置、ナビゲーションシステムおよびナビゲーション方法に関する。
【背景技術】
【０００２】
従来、車両に搭載され、ＧＰＳ（Global  Positioning  System）を利用した車両のナビゲーションを行う車載用ナビゲーション装置が知られている。かかる車載用ナビゲーション装置は、目的地までの経路探索を行う経路探索機能や、地図情報上に現在の自車位置や進行方向を重畳表示しつつ、探索された経路に沿って自車を案内する経路案内機能を有するのが一般的である（たとえば、特許文献１参照）。
【先行技術文献】
【特許文献】
【０００３】
【特許文献１】特開平０８−２５４４３３公報
【発明の概要】
【発明が解決しようとする課題】
【０００４】
しかしながら、従来のナビゲーション装置では、任意の場所を目的地としたかかる目的地自体への経路探索は行えるものの、ユーザが任意の場所の対象物を観賞したい場合に、かかる対象物の観賞に適した場所を探索することについては考慮されていなかった。このように、従来のナビゲーション装置には、ユーザに対し、任意の対象物を観るのに適した場所を案内するうえで更なる改善の余地がある。
【０００５】
なお、かかる課題は、車載用に限らず、ＰＮＤ（Portable  Navigation  Device）や、ナビゲーション機能を実行可能な携帯情報端末といった携帯型のナビゲーション装置にも共通する課題である。
【０００６】
実施形態の一態様は、上記に鑑みてなされたものであって、ユーザに対し、任意の対象物を観るのに適した場所を案内することができるナビゲーション装置、ナビゲーションシステムおよびナビゲーション方法を提供することを目的とする。
【課題を解決するための手段】
【０００７】
実施形態の一態様に係るナビゲーション装置は、取得部と、経路設定部とを備える。取得部は、観賞対象となる任意の対象物が指定された場合に、該対象物の観賞に適した好適地に関する好適地情報を取得する。経路設定部は、前記取得部によって取得された前記好適地情報に含まれる前記好適地の候補それぞれの地点情報のうちのいずれかを目的地とした経路設定を行う。
【発明の効果】
【０００８】
実施形態の一態様によれば、ユーザに対し、任意の対象物を観るのに適した場所を案内することができる。
【図面の簡単な説明】
【０００９】
【図１Ａ】図１Ａは、実施形態に係るナビゲーション方法の概要を示す図（その１）である。
【図１Ｂ】図１Ｂは、実施形態に係るナビゲーション方法の概要を示す図（その２）である。
【図１Ｃ】図１Ｃは、実施形態に係るナビゲーション方法の概要を示す図（その３）である。
【図１Ｄ】図１Ｄは、実施形態に係るナビゲーション方法の概要を示す図（その４）である。
【図２】図２は、実施形態に係るナビゲーションシステムのネットワーク図である。
【図３Ａ】図３Ａは、実施形態に係るナビゲーション装置のブロック図である。
【図３Ｂ】図３Ｂは、実施形態に係るサーバ装置のブロック図である。
【図４】図４は、好適地情報の一例を示す図である。
【図５Ａ】図５Ａは、景観画像を表示する場合の具体例を示す図（その１）である。
【図５Ｂ】図５Ｂは、景観画像を表示する場合の具体例を示す図（その２）である。
【図５Ｃ】図５Ｃは、景観画像を表示する場合の具体例を示す図（その３）である。
【図５Ｄ】図５Ｄは、景観画像を表示する場合の具体例を示す図（その４）である。
【図６Ａ】図６Ａは、サムネイル一覧から選択させる場合の具体例を示す図（その１）である。
【図６Ｂ】図６Ｂは、サムネイル一覧から選択させる場合の具体例を示す図（その２）である。
【図６Ｃ】図６Ｃは、サムネイル一覧から選択させる場合の具体例を示す図（その３）である。
【図６Ｄ】図６Ｄは、サムネイル一覧から選択させる場合の具体例を示す図（その４）である。
【図６Ｅ】図６Ｅは、サムネイル一覧から選択させる場合の具体例を示す図（その５）である。
【図７】図７は、実施形態に係る車載装置が実行する処理手順を示すフローチャートである。
【図８】図８は、実施形態に係る車載装置の機能を実現するコンピュータの一例を示すハードウェア構成図である。
【発明を実施するための形態】
【００１０】
以下、添付図面を参照して、本願の開示するナビゲーション装置、ナビゲーションシステムおよびナビゲーション方法の実施形態を詳細に説明する。なお、以下に示す実施形態によりこの発明が限定されるものではない。
【００１１】
また、本実施形態では、ナビゲーション装置が車載装置１０であり、したがってこれを含むナビゲーションシステム１は車載用のシステムである場合を例に挙げて説明するが、車載用に限らなくともよい。
【００１２】
また、以下では、本実施形態に係るナビゲーション方法の概要について図１Ａ〜図１Ｄを用いて説明した後に、車載装置１０およびこれを含むナビゲーションシステム１について、図２〜図８を用いて説明することとする。
【００１３】
また、以下では、ユーザの観賞対象となる対象物を「ランドマーク」と記載する。「ランドマーク」は一般に、目印となる地理学上の特徴物を指すが、本実施形態では、ナビゲーション用の電子地図において「ランドマーク」として取り扱われる、著名な山や建築物等を指すものとする。
【００１４】
＜１．ナビゲーション方法の概要＞
まず、本実施形態に係るナビゲーション方法の概要について、図１Ａ〜図１Ｄを用いて説明する。図１Ａ〜図１Ｄは、実施形態に係るナビゲーション方法の概要を示す図（その１）〜（その４）である。
【００１５】
図１Ａに示すように、車載装置１０は、表示部４０を備える。表示部４０は、たとえば静電容量方式の情報入力機能を有する操作部３０（図３Ａ参照）が組み合わされたタッチパネル等として構成され、図１Ａに示すように地図情報を表示する。ここで、ユーザがたとえば地図情報上の所定地点を目的地指定する所定の操作を行うと、車載装置１０は、ユーザが指定した地点を目的地Ｇ（図示略）に設定し、現在位置ＣＰから目的地Ｇまでの経路設定を行って、かかる経路に沿った自車のナビゲーションを行う。
【００１６】
ところで、このように、ユーザが指定した任意の場所、たとえばランドマークＬを目的地Ｇとした経路設定は公知のものであるが、ユーザが任意のランドマークＬを観賞したい場合に、かかるランドマークＬの観賞に適した好適地を探索することについてはこれまで行われてこなかった。
【００１７】
言い換えれば、ユーザが任意のランドマークＬを眺めの良い観賞好適地で観賞したいと考えても、そもそも目的地Ｇとしたい観賞好適地がどこなのか、ユーザには分かりにくかった。
【００１８】
そこで、本実施形態に係るナビゲーション方法では、任意のランドマークＬの指定を受けた場合に、かかるランドマークＬの観賞好適地の候補の地点情報をピックアップして、地図情報とともに表示部４０へ表示することとした。
【００１９】
そして、表示された地点情報のうちの一つがユーザにより目的地Ｇとして指定されたならば、かかる地点情報を目的地Ｇとした経路設定を行うこととした。
【００２０】
具体的には、図１Ａに示すように、本実施形態に係るナビゲーション方法では、まずユーザによる任意のランドマークＬの指定を受け付ける（ステップＳ１）。ここでは、ランドマークＬとして富士山を例に挙げる。
【００２１】
なお、図１Ａでは、ランドマークＬを示すアイコンが地図情報上に表示されており、ユーザはかかるアイコンをタッチすることによってランドマークＬを指定する操作の例を挙げているが、あくまで一例であって、操作の態様を限定するものではない。
【００２２】
そして、ランドマークＬが指定されたならば、本実施形態に係るナビゲーション方法では、つづいて図１Ｂに示すように、ランドマークＬに対応する観賞好適地の候補の地点情報を表示部４０へ表示する（ステップＳ２）。
【００２３】
たとえば図１Ｂには、富士山の観賞好適地の候補として「三保の松原」、「裾野市須山」および「田貫湖」がピックアップされ、これら名称と、それぞれの位置を示すピンＰ１〜Ｐ３とを地点情報として、表示部４０へ表示させた例を示している。
【００２４】
これにより、ユーザは、観たいランドマークＬに対して一体どこが観賞好適地なのかを即座に知ることができ、ユーザビリティを向上させることができる。
【００２５】
なお、ピックアップすべき観賞好適地に関する好適地情報は、たとえば車載装置１０とネットワーク接続されたサーバ装置２０（図２等参照）によって生成され、車載装置１０によって取得される。この点に係る具体的な内容については、図２以降を用いて後述する。
【００２６】
つづいて、図１Ｃに示すように、本実施形態に係るナビゲーション方法では、ユーザによる地点情報の目的地指定を受け付ける（ステップＳ３）。ここでは、ピンＰ１の示す「三保の松原」の地点情報が、ユーザにより目的地指定された場合を示している。なお、上述のように、かかる目的地指定の場合についても、ユーザの操作の態様を限定するものではない。
【００２７】
そして、地点情報が目的地指定されたならば、本実施形態に係るナビゲーション方法では、つづいて図１Ｄに示すように、指定された地点情報を目的地Ｇとした経路設定を行う（ステップＳ４）。
【００２８】
すなわち、図１Ｄに示すように、図１Ｃにて指定されたピンＰ１に対応する位置を目的地Ｇとした現在位置ＣＰからの経路Ｒ１が探索されて経路設定され、かかる経路Ｒ１が表示部４０へ表示される。
【００２９】
これにより、ユーザは、観たいランドマークＬの観賞好適地の候補の地点情報を容易に知り、そのいずれかを目的地Ｇとして経路設定することを簡単な操作で行うことができる。したがって、ユーザに対し、任意のランドマークＬを観るのに適した場所を、ユーザビリティ高く案内することができる。
【００３０】
また、ユーザへは、たとえばそれまで知らなかった観賞好適地を新たに知る機会を与えることができ、また実際にそこへ案内し、良い眺めでランドマークＬを観賞してもらうことで、ユーザへ新鮮な体験を提供することができる。
【００３１】
なお、これまでの説明では、観賞好適地の各名称と、その位置とを示すピンＰ１〜Ｐ３を地点情報として表示する場合を例に挙げたが、地点情報が示す位置から観た場合の景観画像やそのサムネイルを表示部４０へ表示してもよい。
【００３２】
ここで、景観画像は、任意の時刻、たとえば到着予想時刻や、現在時刻等に応じたものであることが好ましい。また、さらに、現地の天候等の気象情報や、月齢等の天体情報等を反映させたものであることが好ましい。
【００３３】
このように、地点情報の示す位置からの景観画像を表示することによって、ユーザは、たとえば実際に行ったことのない観賞好適地においての眺めをイメージすることができ、好みの景観を観ることができる観賞好適地を候補の中から選択しやすくなる。
【００３４】
したがって、ユーザに対し、任意のランドマークＬを観るのに適した場所を、ユーザビリティ高く案内することができる。景観画像を表示する場合の具体的な内容については、図５Ａ以降等を用いた説明で後述する。
【００３５】
以下、上述したナビゲーション方法を適用した車載装置１０およびサーバ装置２０を含むナビゲーションシステム１についてさらに具体的に説明する。
【００３６】
＜２．ナビゲーションシステム＞
図２は、本実施形態にかかるナビゲーションシステム１のネットワーク図である。図２に示すように、ナビゲーションシステム１は、車両に搭載される車載装置１０と、かかる車載装置１０とネットワークＮを介して通信するサーバ装置２０とを含んでいる。
【００３７】
また、車載装置１０は、ＧＰＳ衛星ＳＴと通信可能に設けられている。車載装置１０は、たとえばＧＰＳ衛星ＳＴからの電波に基づいて現在位置を取得する。
【００３８】
また、ネットワークＮには、施設Ｂ１，Ｂ２が接続され、車載装置１０およびサーバ装置２０は、これら施設Ｂ１，Ｂ２との通信も可能である。ネットワークＮへの接続形態は、無線または有線を問わない。
【００３９】
施設Ｂ１は、ランドマークＬを望む観賞好適地に対応する施設であって、たとえばかかる施設Ｂ１から観たランドマークＬの景観画像を適宜撮像する。景観画像は、ライブビューカメラのような、常時ランドマークＬを撮像するものであってもよい。
【００４０】
なお、ユーザの利便性等を考慮すれば、施設Ｂ１は、図中の「Ｐ」マークに示すように、車両が進入可能な経路を伝って到達することができ、かつ、駐車に適した施設、すなわちユーザが車両で行くことができ、車両を駐車してランドマークＬを観賞しやすい施設であることが好ましい。
【００４１】
施設Ｂ２は、たとえばランドマークＬを望まない場所にあるものの、気象情報や天体情報、地図情報、イベント情報等、ランドマークＬを望む観賞好適地に関わる情報を提供可能な施設である。たとえば施設Ｂ２は、気象台や、天文台、国土地理院、イベントを広報する会社等に相当する。
【００４２】
そして、たとえばサーバ装置２０は、ネットワークＮを介し、施設Ｂ１からは、施設Ｂ１に関する施設情報や、撮像された景観画像等を適宜収集する。また、サーバ装置２０は、施設Ｂ２からは、施設Ｂ２に関する施設情報や、気象情報、天体情報、地図情報、イベント情報等を適宜収集する。
【００４３】
また、サーバ装置２０は、車載装置１０からの要求に応じ、施設Ｂ１，Ｂ２から収集した各種情報に基づいて車載装置１０の要求する観賞好適地に関する好適地情報を生成し、生成した好適地情報を車載装置１０へ向けて送信する。
【００４４】
＜２．１．車載装置＞
次に、車載装置１０の構成について説明する。図３Ａは、実施形態に係る車載装置１０のブロック図である。なお、図３Ａでは、本実施形態の特徴を説明するために必要な構成要素のみを機能ブロックで表しており、一般的な構成要素についての記載を省略している。
【００４５】
換言すれば、図３Ａに図示される各構成要素は機能概念的なものであり、必ずしも物理的に図示の如く構成されていることを要しない。たとえば、各機能ブロックの分散・統合の具体的形態は図示のものに限られず、その全部または一部を、各種の負荷や使用状況などに応じて、任意の単位で機能的または物理的に分散・統合して構成することが可能である。この点は、後に図３Ｂに示す、サーバ装置２０のブロック図についても同様である。
【００４６】
図３Ａに示すように、車載装置１０は、操作部３０と、表示部４０と、ＧＰＳ部５０と、方位センサ６０と、速度センサ７０と接続する。
【００４７】
操作部３０は、ランドマークＬの指定操作や、地点情報の目的地指定操作、景観画像の選択操作等、ユーザが行う所定の各種操作を受け付ける。操作部３０は、たとえばタッチパネルやタッチパッド等を備え、ユーザがかかるタッチパネルやタッチパッドをタッチした位置を検出する。操作部３０は、ユーザのタッチ位置に応じたユーザの所定の操作を検出し、検出結果を車載装置１０へ出力する。
【００４８】
表示部４０は、たとえば液晶ディスプレイ等を備え、車載装置１０の表示制御部１１ｄの制御に基づき、表示制御部１１ｄから渡される画像情報を表示する。なお、表示部４０がタッチパネルディスプレイである場合、操作部３０の機能を兼ねることができる。
【００４９】
ＧＰＳ部５０は、ＧＰＳ衛星から受信した電波に基づいて車載装置１０の位置、すなわち、自装置の現在位置を取得する処理を行うデバイスである。なお、このＧＰＳ部５０は、取得した現在位置を制御部１１の経路設定部１１ｅへ渡す処理を併せて行う。
【００５０】
方位センサ６０は、たとえばヨー方向の運動、すなわち、車両の走行方向を検出する処理を行う。なお、この方位センサ６０は、検出した走行方向を制御部１１の経路設定部１１ｅへ渡す処理を併せて行う。
【００５１】
速度センサ７０は、車載装置１０が搭載される車両の走行速度を検出する処理を行う。なお、この速度センサ７０は、検出した走行速度を制御部１１の経路設定部１１ｅへ渡す処理を併せて行う。
【００５２】
車載装置１０は、操作部３０が受け付けたユーザによる所定の各種操作に応じて、サーバ装置２０と通信を行い、表示部４０へ表示する画像情報の表示制御や、経路設定等を行う。車載装置１０は、制御部１１と、記憶部１２と、通信インタフェース１３とを備える。
【００５３】
制御部１１は、車載装置１０の全体制御を行う。制御部１１は、ランドマーク指定部１１ａと、好適地指定部１１ｂと、好適地情報取得部１１ｃと、表示制御部１１ｄと、経路設定部１１ｅと、送信部１１ｆと、受信部１１ｇとをさらに備える。
【００５４】
ランドマーク指定部１１ａは、ユーザの操作に基づいて指定されたランドマークＬを操作部３０から受け付ける処理を行う。また、ランドマーク指定部１１ａは、指定されたランドマークＬに対応する好適地情報の取得要求を送信部１１ｆおよび通信インタフェース１３経由でサーバ装置２０へ送信する処理を行う。
【００５５】
好適地指定部１１ｂは、ユーザによる所定の操作を受けた観賞好適地の地点情報を操作部３０から受け付ける処理を行う。好適地指定部１１ｂは、たとえば地点情報の選択操作を受け付けた場合には、選択された地点情報に対応する景観画像等の取得要求を送信部１１ｆおよび通信インタフェース１３経由でサーバ装置２０へ送信する処理を行う。
【００５６】
また、好適地指定部１１ｂは、たとえば地点情報の目的地指定操作を受け付けた場合には、目的地指定された地点情報を経路設定部１１ｅへ渡す処理を行う。
【００５７】
好適地情報取得部１１ｃは、指定されたランドマークＬを観賞するのに適した観賞好適地に関する好適地情報を、通信インタフェース１３および受信部１１ｇ経由でサーバ装置２０から取得する処理を行う。また、好適地情報取得部１１ｃは、取得した好適地情報を表示制御部１１ｄへ渡す処理を併せて行う。
【００５８】
ここで、好適地情報の一例について図４を用いて説明しておく。図４は、好適地情報の一例を示す図である。
【００５９】
図４に示すように、好適地情報は、ユーザにより指定されたランドマークＬ（図中の「指定ランドマーク」参照）につき、生成される情報である。ランドマークＬには、かかるランドマークＬの観賞好適地の候補それぞれの情報が関連付けられる。
【００６０】
たとえば図４には、指定されたランドマークＬにつき、好適地＃１〜好適地＃ｎのｎ個の観賞好適地の候補がピックアップされた例を挙げている。これら候補には、それぞれの位置を示す「地点情報」や、観賞好適地に対応する施設に関する「施設情報」、観賞好適地における「景観画像」、観賞するのに好適な季節を示す「好適季節」、観賞するのに好適な時間を示す「好適時間」等の各種情報が紐付けられている。
【００６１】
なお、「景観画像」は、季節および時間に応じた複数個が含まれてよい。また、「景観画像」は、観賞好適地のピンポイントのものだけでなく、かかる観賞好適地の付近のもの複数個が含まれてよい。また、「景観画像」は、撮像データを元に生成された描画データであってもよいし、動画であってもよい。また、３６０度回転させることが可能な全周パノラマ画像であってもよい。
【００６２】
かかる好適地情報は、後に詳しく述べるサーバ装置２０において生成され、車載装置１０へ向けて送信される。なお、「景観画像」のような画像データは容量が大きいことが考えられるので、通信負担等を考慮し、表示部４０において「景観画像」の表示を必要としない好適地情報の取得要求を車載装置１０側からサーバ装置２０側が受けた場合には、サーバ装置２０は、「景観画像」を付加しないデータ形式で、好適地情報を車載装置１０側へ送信することができる。
【００６３】
また、同じく好適地情報の取得要求に応じ、サーバ装置２０は、表示部４０において必要となる「景観画像」のみを抜き出したデータ形式で、好適地情報を車載装置１０側へ送信することもできる。
【００６４】
図３Ａの説明に戻り、つづいて表示制御部１１ｄについて説明する。表示制御部１１ｄは、表示部４０への表示画像を生成し、生成した表示画像を表示部４０へ表示させる処理を行う。たとえば表示制御部１１ｄは、記憶部１２の地図情報１２ａに基づき、ナビゲーション用の地図情報を表示部４０へ表示させる処理を行う。
【００６５】
また、たとえば表示制御部１１ｄは、好適地情報取得部１１ｃから受け取った好適地情報の地点情報や景観画像等を地図情報とともに表示部４０へ表示する表示画像を生成し、表示部４０へ表示させる処理を行う。
【００６６】
また、たとえば表示制御部１１ｄは、経路設定部１１ｅにより設定された経路を地図情報等とともに表示部４０へ表示する表示画像を生成し、表示部４０へ表示させる処理を行う。
【００６７】
経路設定部１１ｅは、好適地指定部１１ｂから渡された目的地指定された地点情報と、ＧＰＳ部５０、方位センサ６０および速度センサ７０それぞれの検出結果とに基づき、現在位置から目的地Ｇまでの経路探索を行い、経路設定する処理を行う。
【００６８】
また、経路設定部１１ｅは、経路設定した経路を表示制御部１１ｄへ通知し、表示制御部１１ｄに経路の表示部４０への表示を行わせる処理を併せて行う。
【００６９】
送信部１１ｆは、ランドマーク指定部１１ａや好適地指定部１１ｂから受け取った取得要求を、通信インタフェース１３経由でサーバ装置２０へ送信する処理を行う。
【００７０】
受信部１１ｇは、サーバ装置２０から通信インタフェース１３経由で取得要求に対応する好適地情報を受信した場合に、かかる好適地情報を好適地情報取得部１１ｃへ渡す処理を行う。
【００７１】
記憶部１２は、たとえばＲＡＭ（Random  Access  Memory）、フラッシュメモリ等の半導体メモリ素子、または、ハードディスク、光ディスク等で構成された記憶デバイスであり、地図情報１２ａを記憶する。地図情報１２ａは、ナビゲーション用の電子地図データを含む情報である。なお、地図情報１２ａは、全体をサーバ装置２０が保有することとし、表示部４０への表示が必要な分を車載装置１０側が都度受け取ることとしてもよい。
【００７２】
通信インタフェース１３は、無線通信デバイスであり、車載装置１０とサーバ装置２０との間のデータ送受信を行う。
【００７３】
＜２．２．サーバ装置＞
次に、サーバ装置２０の構成について説明する。図３Ｂは、実施形態に係るサーバ装置２０のブロック図である。
【００７４】
図３Ｂに示すように、サーバ装置２０は、制御部２１と、記憶部２２と、通信インタフェース２３，２４とを備える。
【００７５】
制御部２１は、サーバ装置２０の全体制御を行う。制御部２１は、受信部２１ａと、収集部２１ｂと、好適地情報生成部２１ｃと、送信部２１ｄとをさらに備える。
【００７６】
受信部２１ａは、車載装置１０から通信インタフェース２３経由で好適地情報に関する取得要求を受信した場合に、かかる取得要求を収集部２１ｂへ渡す処理を行う。
【００７７】
収集部２１ｂは、施設Ｂ１，Ｂ２（図２参照）やウェブサーバ（図示略）等から通信インタフェース２４経由で好適地情報を生成するための情報を適宜収集する処理を行う。なお、収集する処理は、車載装置１０から要求のある都度行われてもよいし、随時行われてもよい。また、収集部２１ｂは、収集した情報を記憶部２２に記憶する。
【００７８】
収集部２１ｂが収集する情報には、たとえば施設Ｂ１において撮像された撮像画像を含む画像情報２２ａや、施設Ｂ１に関する施設情報２２ｂ、撮像画像が撮像されたときの日時、天候等の気象情報２２ｃ、月齢や天体の運行および変化に関する天体情報２２ｄ等が含まれる。
【００７９】
なお、収集部２１ｂが収集する情報は、施設Ｂ１，Ｂ２やウェブサーバから取得した情報に限られない。たとえばユーザ自身の撮像画像等をサーバ装置２０へ投稿することで、収集部２１ｂがかかる画像を画像情報２２ａに含めるように収集してもよい。
【００８０】
好適地情報生成部２１ｃは、車載装置１０からの取得要求に応じ、記憶部２２に記憶された情報に基づいて好適地情報を生成する処理を行う。車載装置１０からの取得要求には、たとえばユーザの選択する地点情報が含まれており、好適地情報生成部２１ｃは、たとえばかかる地点情報に対応する景観画像を含む好適地情報を生成する。
【００８１】
また、好適地情報生成部２１ｃは、生成した好適地情報を送信部２１ｄおよび通信インタフェース２３経由で車載装置１０へ送信する処理を併せて行う。
【００８２】
送信部２１ｄは、好適地情報生成部２１ｃから受け取った好適地情報を、通信インタフェース２３経由で車載装置１０へ送信する処理を行う。
【００８３】
記憶部２２は、たとえばＲＡＭ（Random  Access  Memory）、フラッシュメモリ等の半導体メモリ素子、または、ハードディスク、光ディスク等で構成された記憶デバイスであり、たとえば画像情報２２ａと、施設情報２２ｂと、気象情報２２ｃと、天体情報２２ｄとを記憶する。
【００８４】
通信インタフェース２３は、無線通信デバイスであり、サーバ装置２０と車載装置１０との間のデータ送受信を行う。通信インタフェース２４は、通信デバイスであり、ネットワークＮを介し、施設Ｂ１，Ｂ２、ウェブサーバ、画像の投稿を行うユーザ端末（図示略）との間のデータ送受信を行う。
【００８５】
＜３．景観画像を表示する場合の具体例＞
次に、景観画像を表示する場合の具体的な例について、図５Ａ〜図５Ｄを用いて説明する。図５Ａ〜図５Ｄは、景観画像を表示する場合の具体例を示す図（その１）〜（その４）である。
【００８６】
まず図５Ａは、既に示した図１Ｃに対応している。ただし、図１Ｃでは、指定のランドマークＬに対し表示された観賞好適地の候補それぞれの地点情報のうちの一つを目的地指定したが、図５Ａでは目的地でなく単に選択している点が異なる。
【００８７】
図５Ａに示すように、表示部４０へ表示されたランドマークＬの観賞好適地の候補それぞれの地点情報のうち、ユーザがピンＰ１の示す「三保の松原」の地点情報を選択したものとする（ステップＳ３−１）。
【００８８】
かかる場合、たとえば車載装置１０は、選択された「三保の松原」の地点情報に対応する景観画像の取得要求をサーバ装置２０に対して送信し、サーバ装置２０はかかる「三保の松原」の景観画像を含む好適地情報を車載装置１０側へ返す。
【００８９】
そして、車載装置１０は、受け取った好適地情報に基づき、図５Ｂに示すように、「三保の松原」の地点情報に対応する景観画像Ｉ１を表示部４０へ表示させる（ステップＳ３−２）。なお、このとき、景観画像Ｉ１は、たとえば地点情報を示すピンＰ１に関連付いていることが分かる態様で表示されることが好ましい。
【００９０】
たとえば図５Ｂでは、ピンＰ１から伸びる矩形状の枠の中に景観画像Ｉ１を配置した例を示している。この他にも、たとえばピンＰ１のより近傍に景観画像Ｉ１を配置したり、景観画像Ｉ１に重畳させて「三保の松原」の名称を表示したりしてもよい。
【００９１】
このように、地点情報に対応する景観画像を表示することによって、ユーザに実際の景観の観え方をイメージさせやすくでき、ユーザに好みに適う地点情報を目的地指定させやすくすることができる。すなわち、ユーザに対し、任意のランドマークＬを観るのに適した場所を、ユーザビリティ高く案内することができる。
【００９２】
なお、このように景観画像を表示する場合、たとえば景観画像により目的地指定可能となるようにしてもよい（ステップＳ３−３）。一例としては、景観画像を長押しした場合に目的地指定したものと判定し、かかる景観画像に対応する地点情報を目的地とした経路設定を行うようにすることができる。
【００９３】
また、たとえば図５Ｃに示すように、地点情報を選択しなくとも、ユーザがランドマークＬを指定し、観賞好適地の候補の地点情報が表示される際に、すべての候補につき、地点情報とともに景観画像を表示してもよい。なお、このとき、より多くの候補の景観画像が表示されるように、たとえば景観画像のサムネイルを表示するようにしてもよい。
【００９４】
図５Ｃには、「三保の松原」の景観画像Ｉ１のサムネイルと、「裾野市須山」の景観画像Ｉ２のサムネイルと、「田貫湖」の景観画像Ｉ３のサムネイルが一度に表示されている例を示している。これにより、ユーザに一目で好みの景観を見つけやすくすることができる。
【００９５】
ところで、図５Ｂや図５Ｃに示した景観画像またはそのサムネイルを、ユーザが目的地指定でなく選択する操作を行うことによって、景観画像を操作可能となるようにしてもよい。
【００９６】
たとえば図５Ｄに示すように、図５Ｃの景観画像Ｉ２がユーザにより、タップ等により選択されたものとする。かかる場合、景観画像Ｉ２は操作可能なオブジェクトとしてたとえば表示部４０へ全面表示され、また操作部品ＯＰ１〜ＯＰ７が配置されるようにすることができる。
【００９７】
そして、たとえばこのとき景観画像Ｉ２は、３６０度回転が可能な全周パノラマ画像として表示されてもよい。かかる場合、たとえば操作部品ＯＰ１，ＯＰ２によって左右方向の回転を、操作部品ＯＰ３，ＯＰ４によって上下方向の回転を、それぞれ行うことができ、またこれらによる操作を組み合わせることによって、景観画像Ｉ２を全周回転させることができる。
【００９８】
また、操作部品ＯＰ５，ＯＰ６によって拡大可能または縮小可能となるようにしてもよい。また、景観画像Ｉ２を動画形式で表示してもよい。かかる場合には、景観画像Ｉ２の再生／停止を可能とする操作部品ＯＰ７を配置すればよい。
【００９９】
また、景観画像の時間や季節を操作可能となる操作部品を配置してもよい。具体的には、たとえば時間の「進む」ボタン／「戻る」ボタンを配置し、「進む」ボタンであればこれを押す度（または押している間）に何時間かごとに景観画像内の時間を進ませ、朝→昼→夕→夜…の変化に応じて景観画像を変化させる。「戻る」ボタンの場合にはこれと逆の動きを行わせる。
【０１００】
また、季節についても「進む」ボタン／「戻る」ボタンによって、春→夏→秋→冬…（またはこの逆）の変化に応じて景観画像を変化させるとよい。
【０１０１】
また、時間や季節に応じた景観画像には、太陽や月、星座、著名な恒星や惑星等、天体の観え方を併せて表示してもよい。たとえばその景観画像が撮影されている方角や時間等に基づいて割り出される天体の位置から、その天体が景観画像の中で見えるであろう位置を演算して、景観画像のその位置に重畳表示させてもよい。
【０１０２】
このように景観画像を操作可能となるように表示することによって、ユーザはランドマークＬを望む方向だけでなく、観賞好適地を中心とするその周囲の景観や、景観の変化を確認することができるので、ユーザにより好みの地点情報を目的地指定させやすくすることができる。すなわち、ユーザに対し、任意のランドマークＬを観るのに適した場所を、ユーザビリティ高く案内することができる。
【０１０３】
なお、図５Ｂ〜図５Ｄに示した景観画像の表示系の制御は、前述の表示制御部１１ｄによって行われることとなる。
【０１０４】
この他にも、たとえば全周パノラマ画像でなく、観賞好適地の付近の景観画像をスライドショー形式によって表示させてもよい。これによっても、ユーザは、観賞好適地の付近の景観をあらかじめ確認することができる。
【０１０５】
＜４．サムネイル一覧から選択させる場合の具体例＞
ところで、これまでは、ランドマークＬが指定された場合に、その観賞好適地の候補の地点情報を地図情報とともに表示させる場合の例を説明したが、地点情報よりも先にたとえば景観画像のサムネイルの一覧を表示し、その中からユーザに好みに適うものを選択させることによって地点情報を言わば逆引きすることとしてもよい。
【０１０６】
図６Ａ〜図６Ｅは、サムネイル一覧から選択する場合の具体例を示す図（その１）〜（その５）である。
【０１０７】
まず図６Ａの上段の図は、既に示した図１Ａに対応しており、図１Ａの場合と同様に、ユーザが任意のランドマークＬを指定した場面である（ステップＳ１−１）。
【０１０８】
このときに、表示制御部１１ｄは、たとえば好適地情報に含まれる景観画像それぞれのサムネイルの一覧を表示部４０へ表示させることができる（ステップＳ１−２）。たとえば、図６Ａの下段には、景観画像Ｉ１〜Ｉ４それぞれのサムネイルの一覧のみが、表示部４０にたとえば全面表示された例を示している。
【０１０９】
なお、サムネイルの一覧を表示させるまでの別の例として、ステップＳ１−１の後、まずそのランドマークＬを代表する景観画像を一枚表示させ、ユーザがかかる景観画像を選択した場合に、そのランドマークＬに関する他の景観画像のサムネイルの一覧を表示させてもよい。また、地図情報上でランドマークＬを示すアイコンそのものが、はじめからランドマークＬを代表する景観画像のサムネイルであってもよい。
【０１１０】
そして、景観画像Ｉ１〜Ｉ４それぞれのサムネイルの一覧が表示された場合、ユーザは、景観画像Ｉ１〜Ｉ４の画像イメージからのみによって観賞好適地を選択することとなるが、反面、地点情報に関わりなく、まずこの景観が観てみたいと言う、より直感的なユーザの欲求に適う地点情報を選択させることが可能となる。
【０１１１】
言い換えれば、ユーザには、最終的な目的地Ｇがどこになるか分からないというゲーム的な面白さを与えられるので、ユーザへランドマークＬに関しての新鮮な体験を提供することができる。ここで、図６Ａに示すように、ユーザが景観画像Ｉ４のサムネイルを選択したものとする（ステップＳ１−３）。
【０１１２】
かかる場合、表示制御部１１ｄは、図６Ｂに示すように、たとえば景観画像Ｉ４を大きく表示し、対応する地点情報をここで初めて表示する。地点情報は、既に述べたが、たとえば図６Ｂの「富士宮市粟倉（西臼塚駐車場）」のように駐車に適した施設であることが好ましい。
【０１１３】
また、景観画像Ｉ４は、これも既に述べたが、たとえば到着予想時刻や今現在の季節に応じたものであることが好ましい。たとえば図６Ｂでは、到着予想時刻の太陽の位置に対応する富士山の山肌の色付き度合いや、季節に応じた樹の葉の色等が景観画像Ｉ４に反映されていることが好ましい。
【０１１４】
かかる景観画像の加工処理は、サーバ装置２０側のたとえば収集部２１ｂや好適地情報生成部２１ｃ等で行われてもよいし、車載装置１０側の表示制御部１１ｄ等で行われてもよい。
【０１１５】
また、図６Ｂに示すように、駐車場等の施設情報もあわせて表示されているとよりよい。これらにより、ユーザは、観賞好適地の候補のより詳細な情報を確認することができるので、ユーザにより好みの地点情報を目的地指定させやすくすることができる。すなわち、ユーザに対し、任意のランドマークＬを観るのに適した場所を、ユーザビリティ高く案内することができる。
【０１１６】
なお、図６Ｂに示す例では、提示された各種情報がユーザの好みに適うものであれば、ユーザはたとえば「目的地にする」ボタンを操作して目的地指定を行い、他のサムネイルに対応する景観画像に係る地点情報等を確認したければ「戻る」ボタンで一覧に戻ることとなる。
【０１１７】
また、図６Ｃに示すように、ユーザが、たとえばサムネイルの一覧から複数を選択できるようにしてもよい。たとえばここでは、図６Ｃに示すように、ユーザが景観画像Ｉ１〜Ｉ４のサムネイルを連続的に選択するように、指をスライドさせたものとする。
【０１１８】
かかる場合、たとえば経路設定部１１ｅは、選択されたサムネイルに対応する地点情報のうちの一つを目的地Ｇとし、残りのサムネイルに対応する地点情報を経由地とした旅行経路の経路探索を行うことができる。
【０１１９】
具体的には、図６Ｄに示すように、たとえばユーザにより選択された景観画像Ｉ１〜Ｉ４のサムネイル順に、それぞれ対応する地点情報のピンＰ１〜Ｐ４を現在位置ＣＰから順に辿る旅行経路Ｒ２が経路探索され、表示される。
【０１２０】
また、経路設定部１１ｅは、ユーザの選択順に関わらず、たとえば選択されたサムネイルに対応する地点情報のいずれかを目的地Ｇとした推奨経路の経路探索を行うことができる。
【０１２１】
すなわち、経路設定部１１ｅは、ユーザの選択順から探索される旅行経路に対し、たとえば好適地情報に含まれる気象情報や天体情報、好適時間等の要素を加味し、それぞれの候補地において好ましい景観でランドマークＬを観賞可能となるような推奨経路の経路探索を行う。
【０１２２】
たとえば図６Ｅには、図６Ｄの旅行経路Ｒ２に対し、現在位置ＣＰから順に、ピンＰ１、ピンＰ３、ピンＰ２、ピンＰ４を順に辿る推奨経路Ｒ３が経路探索され、表示された例を示している。なお、推奨経路の経路探索には、走行のしやすさやエコ走行等の観点からみた諸要素が反映されてもよい。
【０１２３】
これにより、ユーザは、自身の選択順に地点情報を辿る旅行経路Ｒ２によってランドマークＬの景観を楽しむこともできるし、車載装置１０の推奨する推奨経路Ｒ３によってランドマークＬの景観を楽しむこともできる。すなわち、ユーザにとって好ましい選択肢の幅を広げることができるので、ユーザに対し、任意のランドマークＬを観るのに適した場所を、ユーザビリティ高く案内することができる。
【０１２４】
なお、表示制御部１１ｄは、上述の旅行経路や推奨経路をたとえばシミュレーション走行した場合のシミュレーション画像を表示させるとともに、その経路上において対応する観賞好適地の地点情報の景観画像を同期させて表示させることとしてもよい。これによっても、ユーザに対し、任意のランドマークＬを観るのに適した場所を、ユーザビリティ高く案内することができる。
【０１２５】
＜５．車載装置が実行する処理手順＞
次に、車載装置１０が実行する処理手順について、図７を用いて説明する。図７は、実施形態に係る車載装置１０が実行する処理手順を示すフローチャートである。
【０１２６】
図７に示すように、車載装置１０は、まずランドマーク指定部１１ａが、ランドマークＬの指定があるか否かを判定する（ステップＳ１０１）。ここで、ランドマークＬの指定がある場合（ステップＳ１０１，Ｙｅｓ）、好適地情報取得部１１ｃが、指定されたランドマークＬの観賞好適地の地点情報を取得し、表示制御部１１ｄがかかる地点情報を表示する（ステップＳ１０２）。
【０１２７】
つづいて、好適地指定部１１ｂが、表示された地点情報の目的地指定があるか否かを判定する（ステップＳ１０３）。ここで、地点情報の目的地指定がある場合（ステップＳ１０３，Ｙｅｓ）、経路設定部１１ｅが、指定された地点情報を目的地とした経路設定を行い（ステップＳ１０４）、処理を終了する。
【０１２８】
また、地点情報の目的地指定がない場合（ステップＳ１０３，Ｎｏ）、表示制御部１１ｄが、操作に対応する地点情報および景観画像を表示する（ステップＳ１０５）。その後、ステップＳ１０３からの処理を繰り返す。
【０１２９】
なお、ステップＳ１０１においてランドマークＬの指定がない場合、（ステップＳ１０１，Ｎｏ）、車載装置１０は、他の操作に対応する処理を実行し（ステップＳ１０６）、処理を終了する。
【０１３０】
＜６．ハードウェア構成＞
本実施形態に係る車載装置１０は、図８に一例として示す構成のコンピュータ６００で実現することができる。図８は、実施形態に係る車載装置１０の機能を実現するコンピュータの一例を示すハードウェア構成図である。
【０１３１】
コンピュータ６００は、ＣＰＵ（Central  Processing  Unit）６１０と、ＲＯＭ（Read  Only  Memory）６２０と、ＲＡＭ（Random  Access  Memory）６３０と、ＨＤＤ（Hard  Disk  Drive）６４０とを備える。また、コンピュータ６００は、メディアインターフェイス（Ｉ／Ｆ）６５０と、通信インターフェイス（Ｉ／Ｆ）６６０と、入出力インターフェイス（Ｉ／Ｆ）６７０とを備える。
【０１３２】
なお、コンピュータ６００は、ＳＳＤ（Solid  State  Drive）を備え、かかるＳＳＤがＨＤＤ６４０の一部または全ての機能を実行するようにしてもよい。また、ＨＤＤ６４０に代えてＳＳＤを設けることとしてもよい。
【０１３３】
ＣＰＵ６１０は、ＲＯＭ６２０およびＨＤＤ６４０の少なくとも一方に格納されるプログラムに基づいて動作し、各部の制御を行う。ＲＯＭ６２０は、コンピュータ６００の起動時にＣＰＵ６１０によって実行されるブートプログラムや、コンピュータ６００のハードウェアに依存するプログラムなどを格納する。ＨＤＤ６４０は、ＣＰＵ６１０によって実行されるプログラムおよびかかるプログラムによって使用されるデータ等を格納する。
【０１３４】
メディアＩ／Ｆ６５０は、記憶媒体６８０に格納されたプログラムやデータを読み取り、ＲＡＭ６３０を介してＣＰＵ６１０に提供する。ＣＰＵ６１０は、かかるプログラムを、メディアＩ／Ｆ６５０を介して記憶媒体６８０からＲＡＭ６３０上にロードし、ロードしたプログラムを実行する。あるいは、ＣＰＵ６１０は、かかるデータを用いてプログラムを実行する。記憶媒体６８０は、たとえばＤＶＤ（Digital  Versatile  Disc）などの光磁気記録媒体やＳＤカード、ＵＳＢメモリなどである。
【０１３５】
通信Ｉ／Ｆ６６０は、ネットワーク６９０を介して他の機器からデータを受信してＣＰＵ６１０に送り、ＣＰＵ６１０が生成したデータを、ネットワーク６９０を介して他の機器へ送信する。あるいは、通信Ｉ／Ｆ６６０は、ネットワーク６９０を介して他の機器からプログラムを受信してＣＰＵ６１０に送り、ＣＰＵ６１０がかかるプログラムを実行する。
【０１３６】
ＣＰＵ６１０は、入出力Ｉ／Ｆ６７０を介して、ディスプレイ等の表示部４０等の出力部、キーボードやマウス、ボタン、操作部３０等の入力部を制御する。ＣＰＵ６１０は、入出力Ｉ／Ｆ６７０を介して、入力部からデータを取得する。また、ＣＰＵ６１０は、生成したデータを入出力Ｉ／Ｆ６７０を介して表示部４０等の出力部に出力する。
【０１３７】
たとえば、コンピュータ６００が車載装置１０として機能する場合、コンピュータ６００のＣＰＵ６１０は、ＲＡＭ６３０上にロードされたプログラムを実行することにより、ランドマーク指定部１１ａと、好適地指定部１１ｂと、好適地情報取得部１１ｃと、表示制御部１１ｄと、経路設定部１１ｅと、送信部１１ｆと、受信部１１ｇとを含む制御部１１の各機能を実現する。
【０１３８】
コンピュータ６００のＣＰＵ６１０は、たとえばこれらのプログラムを記憶媒体６８０から読み取って実行するが、他の例として、他の装置からネットワーク６９０を介してこれらのプログラムを取得してもよい。また、ＨＤＤ６４０は、記憶部１２が記憶する情報を記憶することができる。
【０１３９】
上述してきたように、実施形態に係る車載装置（「ナビゲーション装置」の一例に相当）は、好適地情報取得部（「取得部」の一例に相当）と、経路設定部とを備える。取得部は、任意のランドマークＬ（「観賞対象となる対象物」の一例に相当）が指定された場合に、かかるランドマークＬの観賞に適した好適地に関する好適地情報を取得する。経路設定部は、好適地情報取得部によって取得された好適地情報に含まれる好適地の候補それぞれの地点情報のうちのいずれかを目的地とした経路設定を行う。
【０１４０】
したがって、実施形態に係る車載装置によれば、ユーザに対し、任意の対象物を観るのに適した場所を案内することができる。
【０１４１】
なお、上述した実施形態では、サーバ装置側で好適地情報に関する情報の収集、および、好適地情報の生成を行う場合を例に挙げたが、これらの処理を車載装置側で行ってもよい。一方、車載装置側において行われる経路探索や経路設定の処理をサーバ装置側で行い、車載装置側では専ら情報の表示のみを行うようにしてもよい。
【０１４２】
また、上述した実施形態では、ナビゲーション装置が車載装置である場合を例に挙げたが、既に述べたように、ナビゲーション装置は、車載用に限らなくともよい。すなわち、ナビゲーション装置が、ＰＮＤや携帯情報端末等の携帯型であってもよく、移動手段も車に限らず、たとえば飛行機や電車、船舶、徒歩等であってもよい。
【０１４３】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１４４】
１    ナビゲーションシステム
１０    車載装置
１１    制御部
１１ａ  ランドマーク指定部
１１ｂ  好適地指定部
１１ｃ  好適地情報取得部
１１ｄ  表示制御部
１１ｅ  経路設定部
１１ｆ  送信部
１１ｇ  受信部
１２    記憶部
１２ａ  地図情報
１３    通信インタフェース
２０    サーバ装置
２１    制御部
２１ａ  受信部
２１ｂ  収集部
２１ｃ  好適地情報生成部
２１ｄ  送信部
２２    記憶部
２２ａ  画像情報
２２ｂ  施設情報
２２ｃ  気象情報
２２ｄ  天体情報
２３    通信インタフェース
２４    通信インタフェース
３０    操作部
４０    表示部
５０    ＧＰＳ部
６０    方位センサ
７０    速度センサ
Ｂ１，Ｂ２  施設
ＣＰ  現在位置
Ｇ    目的地
Ｉ１〜Ｉ４  景観画像
Ｌ    ランドマーク
Ｎ    ネットワーク
【図１Ａ】
2017150946.tif 000003
【図１Ｂ】
2017150946.tif 000004
【図１Ｃ】
2017150946.tif 000005
【図１Ｄ】
2017150946.tif 000006
【図２】
2017150946.tif 000007
【図３Ａ】
2017150946.tif 000008
【図３Ｂ】
2017150946.tif 000009
【図４】
2017150946.tif 000010
【図５Ａ】
2017150946.tif 000011
【図５Ｂ】
2017150946.tif 000012
【図５Ｃ】
2017150946.tif 000013
【図５Ｄ】
2017150946.tif 000014
【図６Ａ】
2017150946.tif 000015
【図６Ｂ】
2017150946.tif 000016
【図６Ｃ】
2017150946.tif 000017
【図６Ｄ】
2017150946.tif 000018
【図６Ｅ】
2017150946.tif 000019
【図７】
2017150946.tif 000020
【図８】
2017150946.tif 000021